Podtech/llm-jp-corpus-v4-ja_patent huggingface dataset:
(57)【要約】【課題】鍋やおでんなどを調理、食べたりする時は、具の形や大きさ、食材によって、おたま、穴あきおたま、トングなど調理器具を多く使うために、食材によって、その都度持ち替えたり、それらの調理器具の置き場所に困ったり、洗い物が増えるなどしていたため、それらの機能を備えたものを提供する。【解決手段】一般的なおたまのおたま部分をかみ合うような、フォーク型、又は波型の形状に二つに分割したものを設ける。柄部はU字型または、V字型のトングのような持ち手のものを設ける。柄部の開き具合を三段階に調節し固定することが出来るように金具と留め金を設ける。【選択図】図１
2014226454.tif 000002
【特許請求の範囲】
【請求項１】
Ｕ字状の柄の先端部のそれぞれにおたま部分を備えてなる多機能おたまであって、前記おたま部分の互いに対向する側は櫛形状をなし互いにかみ合うように構成されてなり、前記柄には該柄の開口角を調節するための調節手段を備えてなることを特徴とする多機能おたま。
【発明の詳細な説明】
【技術分野】
【０００１】
本発明は、おたまのおたま部分をフォーク型、又は波型の形状にしたおたまに関する。
【背景技術】
【０００２】
おたまのおたま部分をフォーク型、又は波型の形状にしたおたまとしては、実用新案登録第３０８００９５号が知られている。このおたまは、おたま部分をはさみ状に２つに分割し、おたま部分をフォーク型、又は波型の形状にする事で、麺をからませて取る事が出来るようにしている。又、おたまを閉じた状態では、汁をすくう事も出来、鍋の時などや、麺類と汁をすくう時などに便利である。
【先行技術文献】
【特許文献】
【０００３】
【特許文献１】実用新案登録第３０８００９５号
【発明の概要】
【発明が解決しようとする課題】
【０００４】
しかしながら、前記のおたまははさみ状になっているので、フォーク型、波型に２つに分かれたおたまが開いた状態で麺類をつかむことができ、閉じた状態の時、汁をすくう事が出来るものの、開いた状態で使用する際は、おたまの開き具合を固定することが出来ず使い難かった。
【課題を解決するための手段】
【０００５】
本発明は上記課題を解決するためになされたもので、請求項１に記載の多機能おたまは、Ｕ字状の柄の先端部のそれぞれにおたま部分を備えてなる多機能おたまであって、前記おたま部分の互いに対向する側は櫛形状をなし、互いにかみ合うように構成されてなり、前記柄には該柄の開口角を調節するための調節手段を備えてなることを特徴とする。
【発明の効果】
【０００６】
本発明の多機能おたまは、Ｕ字状の柄の先端部のそれぞれにおたま部分を備えてなる多機能おたまであって、前記おたま部分の互いに対向する側は櫛形状をなし互いにかみ合うように構成されてなり、前記柄には該柄の開口角を調節するための調節手段を備えてなることを特徴とするので、前記調節手段により前記柄の開口角を調節することが出来、おたまの開き具合を固定することが出来るので使い勝手が向上するという効果を発揮する。
【図面の簡単な説明】
【０００７】
【図１】本発明の実施例を示す斜視図
【図２】本発明の実施例の使い方を示す図
【図３】本発明の他の実施例を示す図
【図４】本発明の実施例の調節手段を示す図
【図５】本発明の実施例の調節手段を示す拡大図
【発明を実施するための形態】
【０００８】
以下実施例を上げて本発明を説明する。
【実施例】
【０００９】
本発明の多機能おたま５は、ハの字に広がったＵ字型の柄１の先端部のそれぞれにおたま部分４、４を備えていて、該おたま部分４、４の互いに対向する側は図２のaのように櫛形をなしており、互いにかみ合うように構成されている。そして、前記柄の中央部よりおたま部分４、４寄りの一方には軸部３ａが設けられていて、他方には留め金３ｂが設けられている。前記軸部３ａには留め具２が回動可能に取り付けられている。前記留め具２の先端部には凹部６が設けられていて前記留め金３ｂに嵌合するように構成されていて、前記軸部３ａと、前記留め金３ｂと、前記留め具２とで調節手段７を構成している。
【００１０】
なお、上記多機能おたま５は、前記留め具２の凹部６を前記留め金３ｂから嵌合状態を解放することにより、前記柄の開口角を最大角となるように構成されており、前記留め具２の凹部６を前記留め金３ｂに嵌合することにより、前記柄の開口角を中間角となるように構成されている。そして、前記留め具２の凹部６を構成する壁部８を前記留め金３ｂに当接させることにより、前記柄の開口角を最小角となるように構成されている。
【００１１】
このため、前記多機能おたまは、開き具合を三段階に調節し固定することが出来るため、図２の（Ａ）のように前記柄の開口角を最小角にして、多機能おたまを閉じた状態のときには、汁をすくう事が出来き、（Ｂ）のように前記柄の開口角を中間角にして、多機能おたまを少し開いた状態のときには、穴あきおたまの様に湯豆腐など、汁気を切りたいものをすくうことが出来き、（Ｃ）のように前記柄の開口角を最大角となるようにして、多機能おたまを最大限に開いたときにはトングの様に大きな食材やすべりやすい食材をつかむことも出来る。
【００１２】
なお、本発明の多機能おたま５の材料としては一般的に使われている材料が適用でき、プラスチックや金属はもちろんシリコンなどが適用できる。また、柄１の形状は、上記実施例に示したハの字に広がったＵ字型に限らず、Ｕ字状であればよく、例えば、図４の右に示したようにＶ字型の柄であってもよい。また、おたま部分４、４の互いに対向する側の形状は櫛形ａに限らず、櫛形状であればよく、図３に示したような波型ｂであってもよい。
【００１３】
鍋やおでんなどを調理、食事をする時に必要であった、おたま、穴あきおたま、トングなどの調理器具を一つに出来たことはもちろん、調節手段を備えているので、多機能おたまの開き具合を固定することが出来るので使い勝手を向上させることができる。
【００１４】
なお、本実施例では調節手段として、軸部3aと留め具2と留め金3bで構成された調節手段7を示したが、この例に限らず、おねじとめねじによる調節手段であってもよい。また、本発明に係る多機能おたまは、前記した実施例に限らず、本発明の技術思想が許す範囲内で多様に変形して実施することが出来る。
【産業上の利用可能性】
【００１５】
本発明は、工業的に量産する事が可能であるため、産業上の利用可能性を有する。
【符号の説明】
【００１６】
１柄、２留め具、３ａ軸部、３ｂ留め金、４おたま部分、５多機能おたま、６凹部、７調節手段、８壁部
【図１】
2014226454.tif 000003
【図２】
2014226454.tif 000004
【図３】
2014226454.tif 000005
【図４】
2014226454.tif 000006
【図５】
2014226454.tif 000007
(57)【要約】【課題】今までの治療方法で、合併症を同時に治療することが出来ません。そして、ウイルスに感染された病気（Ｂ型肝炎、Ｃ型肝炎、エイズ）と臓器の病気（糖尿病・腎臓病、その他）と悪性瘤の病気（ガン）等の有効的な治療方法が有りません。又、石川現象が発生するケースも有り得るので、「臓器電解研磨療法」を発明して、以上の病気を治療します。【解決手段】図１のように、低周波治療器（又は電解波治療器）の出力端子と足裏の臓器連動区域との間にコードで繋ぐ。電解液を摂取しながら、低周波治療器（又は電解波治療器）から電流を放出し、コードと臓器の連動区域を経由、臓器に到着すると電解研磨現象が生じ、それによって臓器は軽い刺激を受け、普段の活動よりもより活発になり、悪性瘤の毒素を排出するようになる。実際に、Ｂ型肝炎と糖尿病を同時に治療してみたところ、Ｂ型肝炎と糖尿病が同時に治すことが出来た。【選択図】図１
2014226530.tif 000002
【特許請求の範囲】
【請求項１】
臓器電解波治療器（又は低周波治療器）の出力端子と足裏の臓器連動区域との間にコードを繋ぎ、臓器電解液を飲みながら，臓器電解波治療器（又は低周波治療器）から電流を放出し、コードと臓器連動区域を経由し、臓器に電解研磨を起こす臓器電解研磨療法。（別名：石川療法）（図１のように）
【請求項２】
臓器電解波治療器（出力周波数は１０ＨＺを中心した低周波治療器）。
【請求項３】
片方のプラグは１つであり、もう片方の端子は複数端子（４つ以上の端子）である。（図３のように）
【請求項４】
導電パッドの大きさは、足裏の大きさと同じ。（図４のように）
【発明の詳細な説明】
【技術分野】
【０００１】本発明はウイルスに感染された病気（Ｂ型肝炎、Ｃ型肝炎、エイズ、その他）と臓器の病気（糖尿病、腎臓病、その他）と悪性瘤の病気（ガン）を治療する為の療法である。
【背景技術】
【０００２】電解研磨の理論を使用。
電解研磨とは、製品を電極として、電解液を介し、電流を流しで製品の表面を電解し、研磨の効果を得ることである。
臓器を長期間で電解研磨すると、臓器内部まで改善することが可能となる。【０００３】足裏の足ツボの臓器連動区域の理論を使用。
その理論では、足裏の臓器連動区域が臓器と通じているので、足の臓器連動区域に低周波治療器（又は電解波治療器）の出力端子を接続し、臓器に電流を走らせて電解研磨を発生させることで、その臓器の病気を治療する。【０００４】脳がリラックスしている状態時にその脳波の周波数は１０ＨＺである。
即ち、人間の臓器が一番いい状態の周波数は１０ＨＺであるので、１０ＨＺを電解波として使用する。
【発明の概要】
【発明が解決しようとする課題】
【０００５】今までの治療方法で色々な合併症を同時に治療する事が不可能であった。【０００６】ウイルスに感染された病気（Ｂ型肝炎、Ｃ型肝炎、エイズ等）と臓器の病気（糖尿病・腎臓病）と悪性瘤の病気（ガン）がまだ有効的な治療方法は発見されていない。【０００７】合併症を治療する時、片方を治療しなくて、もう片方を治療すればする程、病気は悪くなる現象（別名：石川現象）が頻繁に発生する。
【発明の効果】
【０００８】本発明は理論的に、Ｂ型肝炎・Ｃ型肝炎・エイズ・糖尿病・賢臓病・ガン、その他の病気を同時に治療すると同時に治る可能性が有る。実際に、Ｂ型肝炎と糖尿病を同時に治療した後、Ｂ型肝炎と糖尿病が同時に治った。
【図面の簡単な説明】
【０００９】
【図１】の様に、低周波治療器（又は電解波治療器）の出力端子と足裏の臓器連動区域との間をコードで接続。電解液を摂取しながら、低周波治療器（又は電解波治療器）から電流を流し、コードと臓器の連動区域を経由し、臓器に到着すると電解研磨現象が生じ、臓器の病気は次第に治る。
【図２】の様に、低周波治療器（又は電解波治療器）の出力端子と足裏のすい臓の連動区域の間にコードで接続（すい臓の連動区域に導電パッドを着ける）。電解液を摂取しながら、すい臓に電流を走らせ、電解研磨現象を生じさせることで糖尿病患者体内の余計な糖が分解．排出される。
【図３】の様に、低周波治療器（又は電解波治療器）に繋ぐプラグは１つであり、もう片方は導電パッドに接続する（＋）極性端子は２つ以上で、（ー）極性端子も２つ以上であり、全部の端子は４つ以上であります、即ち足裏の臓器連動区域を同時に４ヶ所以上、繋げるようにします。
【図４】の様に、導電パッドの大きさは、足裏の大きさと同じです。即ち導電パッドは、足裏の全部の臓器連動区域を同時に繋げるようにします。
【図１】
2014226530.tif 000003
【図２】
2014226530.tif 000004
【図３】
2014226530.tif 000005
【図４】
2014226530.tif 000006
(57)【要約】【課題】  本発明品は、具材を返すためターナーを使用する時に、返し易いように片方に肩を設けて一体型にしてプレートに傷をつけないようにした一体型肩付ターナーを提供する。【解決手段】ターナーの片方に肩を設け、肩を一体型にしたことを特徴とする。【選択図】図１
2014226531.tif 000002
【特許請求の範囲】
【請求項１】
従来のターナーの片方に肩を設け、肩を一体型をした一体型肩付ターナーである。
【発明の詳細な説明】
【技術分野】
【０００１】    この発明は、お好み焼きや卵焼き等の調理の時、具材を返すのに具材が滑りやすく勢いよく返すと形が崩れることや、具材・油が飛び散ることもあるので返し易く安心である、また肩を一体型にして突起を無くすることでプレートに傷を付けることもなく安心して使用できるためにカーターに肩を付けた一体型肩付ターナーに関するものである。
【背景技術】
【０００２】  従来、一体型肩付ターナーが無かった。
【先行技術文献】
【特許文献】
【０００３】
【特許文献１】
【発明の概要】
【発明が解決しようとする課題】
【０００４】  これは次のような欠点があった。
（イ）従来、具材を返す時具材がターナーより滑り落ち、返すのが困難であり、特にご年    配の方や子供が使用するのに不自由、不安であった。
（ロ）勢よいよく返すと形が崩れたり、具材・油が飛び散ることがあった。
本発明は、これらの欠点を除くためになされたものです。
【課題を解決するための手段】
【０００５】  従来のターナーの片方に肩を設ける。
本発明は、以上の構成による一体型肩付ターナーである。
【発明の効果】
【０００６】（イ）一体型肩付ターナーを使用すると具材が滑るのを肩で抑えられご年配の方や子供で    も具材を簡単に返すことができる。
（ロ）一体型肩付ターナーを使用すると具材が滑るのを肩で抑えられ静かに返すことがで    き、形崩れや具材と油の飛び跳ねもなく安心である。
【図面の簡単な説明】
【０００７】
【図１】本発明品の正面図
【図２】本発明品の側面図
【発明を実施するための形態】
【０００８】    以下、発明を実施するための形態について説明する。
従来のターナーに片方に肩を付け具材の滑り落ちるのを防ぎ、一体型して突起を無くし  プレートに傷を付けるのを防ぐ。
本発明品は以上のような構造である。
本発明品を使用する時は、具材をターナーの肩で抑えて返すと簡単に安心して返すこと  ができる。
【符号の説明】
【０００９】  １  本体
２  肩
【図１】
2014226531.tif 000003
【図２】
2014226531.tif 000004
(57)【要約】      （修正有）【課題】入浴時、手が届きにくい背中のこすり洗いを人が背中を流してくれているときのように心地よく快適に自分で行える背中用垢すり具を提供する。【解決手段】かまぼこ状の台座１の曲面側に、ボディタオル３を取り付け、平面側に係着機構４を有する。また、台座１の曲面部に角部分６を設けたり、ボディタオル３にポケット５を設ける。【選択図】図３
2014226533.tif 000002
【特許請求の範囲】
【請求項１】
かまぼこ状の台座（１）の曲面側に、ボディタオル（３）を取り付け、平面側に係着機構（４）を有することを特徴とする背中用垢すり具。
【請求項２】
前記台座（１）の曲面部に角部分（６）を設けることを特徴とする請求項１に記載の背中用垢すり具。
【請求項３】
前記ボディタオル（３）にポケット（５）を設けることを特徴とする請求項１または請求項２記載の背中用垢すり具。
【発明の詳細な説明】
【技術分野】
【０００１】本発明は、壁面に取りつけて背中をこすり洗いする器具に関するものである。
【背景技術】
【０００２】従来、背中を洗うには、ボディタオルやボディブラシが利用されているが、特に背中のくぼみは、充分にはこすりづらい。
そこでスポンジやボディブラシを壁面に固定する垢すり具の発明が出願されている。（特許文献１．２参照）
【先行技術文献】
【特許文献】
【０００３】
【特許文献１】特開平１１−２９０２３４号公報
【特許文献２】特開２００４−１２９９７３号公報
【発明の概要】
【発明が解決しようとする課題】
【０００４】背中のこすり洗いは、健康であっても充分には手が届きにくく、五十肩の人や高齢者など動作が不自由になると、なおさら困難である。
背中を流してくれる人がいれば良いが、一人暮らし世帯も多い。【０００５】そこで特許文献１を使用すると中央が高くなっているので洗いづらい背中のくぼみにスポンジやブラシがとどきこすり洗いができる。しかしからだを器具にこすりつける使い方は器具に大変圧力がかかるため、スポンジやブラシは耐久性が低い。【０００６】また特許文献２は中央が低くなっているので洗いづらい背中のくぼみにとどきにくく、ブラシでは耐久性が低い。
本発明は以上の問題点を解決し、自分ひとりで快適に背中をこすり洗いできる背中用垢すり具を提供することを目的とするものである。
【課題を解決するための手段】
【０００７】上記の目的を達成するために、本発明の背中用垢すり具は、かまぼこ状の台座（１）の曲面側に、ボディタオル（３）を取り付け、さらに平面側に係着機構（４）を取り付けるものである。【０００８】台座（１）の曲面に角部分（６）を設け、背中のくぼみに対処する。【０００９】ボディタオル（３）にはポケット（５）を設け、スポンジやタオルを入れて高さを出せることにより、背中のくぼみに対処する。
本発明は、以上の構成よりなる、壁面に固定させる背中用垢すり具である。
【発明の効果】
【００１０】本発明は、自らからだを壁側にこすりつけるため、こすりたい箇所を好みの強さでこすり洗いすることができる。【００１１】自分の体重によって圧をかけるため、従来にはない快適さでこすり洗いすることができる。【００１２】五十肩や高齢などで腕が不自由でも、ひとりで快適にこすり洗いすることができる。【００１３】ボディタオルは特許文献１や特許文献２のスポンジやボディブラシに比べて耐久性が高い上に、洗浄しやすく、乾燥も速い。コスト面でも衛生面でも大変に優れている。【００１４】また台座（１）に設けた角部分（６）や、ボディタオル（３）に設けたポケット（５）にスポンジやタオルを入れてかさ上げし、高くなった部分で背中のくぼみをこすることができる。
【図面の簡単な説明】
【００１５】
【図１】本発明の斜視図
【図２】Ａ−Ａ断面図
【図３】本発明の応用のポケット（５）と角部分（６）をつけた斜視図
【図４】Ｂ−Ｂ断面図
【発明を実施するための形態】
【００１６】以下、本発明の実施の形態を説明する。
かまぼこ状の台座（１）の曲面側に、ボディタオル（３）を取り付ける。
平面側に備付けた係着機構（４）によって壁面に固定させて使用する。
【００１７】台座（１）は人が寄りかかってもつぶれない硬さであればよい。
例えば耐水性のあるポリエチレンやポリプロピレンなどが好ましい。
【００１８】台座（１）とボディタオル（３）の間に、クッション（２）を入れてもよい。
クッション（２）は肌への衝撃を和らげ、ボディタオル（３）をより肌にフィットさせることができる。
例えば軟らかく耐水性のあるスポンジやウレタン、発泡ポリエチレンなどが好ましい。
【００１９】ボディタオル（３）は、垢すりに適した、目の粗いタオルで、ナイロン・麻・綿などがある。
【００２０】係着機構（４）は着脱が可能な吸盤が好ましい。
【００２１】洗いづらい背中のくぼみのために、台座（１）の曲面に角部分（６）を設けてもよい。
【００２２】洗いづらい背中のくぼみのために、ボディタオル（３）にポケット（５）を設けてもよい。
上下の動きに耐えるため、ポケットの口は横に設けることが好ましい。
【００２３】本発明は以上の構成よりなる。
本発明を使用する場合は、壁面に好みの高さに固定し、お湯をかけてから、石鹸やボディシャンプーを塗り泡立てる。そこへ背中をあてて寄りかかり、膝を屈伸させると、快適に背中をこすることができる。
寄りかかり具合を加減することで、こする強さを調節する。
【００２４】またこすりづらい背中のくぼみは、角部分（６）でこすったり、ポケット（５）にスポンジやタオルを入れてかさ上げし、高くなった部分でこすればより背中にフィットする。
【００２５】使用後はシャワーなどで洗い流せばよい。簡単な構造なため乾燥も速く衛生的である。
【００２６】ボディタオルはスポンジやボディブラシに比べて耐久性が高いうえに、乾燥も速く衛生的である。
【００２７】固定場所は浴槽の壁面も考えられる。湯に浸かった状態でこすれば浮力でからだが動かしやすい。
【符号の説明】
【００２８】（１）台座              （２）クッション        （３）ボディタオル
（４）係着機構（吸盤）  （５）ポケット          （６）角部分
【図１】
2014226533.tif 000003
【図２】
2014226533.tif 000004
【図３】
2014226533.tif 000005
【図４】
2014226533.tif 000006
(57)【要約】【課題】  紐付靴の紐を締めたり緩めたりすることを容易にする、靴紐調整具を設けた靴ベラを提供する。【解決手段】  長方形状の薄状金属部材を用いて、長手方向に先端をＲ状にした紐かけ部を設け、短手方向の両側を曲折させた軸受部を設けた靴紐調整具を靴ベラの長軸に装着して、靴紐を締めたり緩めたりすることを特徴とした靴紐調整具付靴ベラ。【選択図】図１
2014226538.tif 000002
【特許請求の範囲】
【請求項１】
長方形状の薄状金属部材を用いて、長手方向に先端をＲ状にした紐かけ部を設け、短手方向の両側を曲折させた軸受部を設けた靴紐調整具を靴ベラの長軸に装着して、靴紐を締めたり緩めたりすることを特徴とした靴紐調整具付靴ベラ。
【発明の詳細な説明】
【技術分野】
【０００１】  この発明は、靴紐調整具を取り付けた靴ベラに関するものである。
【背景技術】
【０００２】  従来、運動靴、革靴など紐のついた靴を履く又は脱ぐ時は、下から上部に向けて通した靴紐の両端を持って行っている。
【発明の開示】
【発明が解決しようとする課題】
【０００３】  このような何気ない動作のなかで、次のような問題点が生じていた。
通常、靴紐は１本の紐を下から上に向かって左右に通していく。その時、紐と紐との間に指先を入れて、紐を持ち上げ左右にずらせながら縛る。靴を脱ぐときは、その逆動作をして脱ぐのが一般的である。【０００４】  これらの動作のなかで、紐を指先で上部に持ち上げるには力がいる。なぜならば、紐が靴の上面と密着状態になっていて、隙間に指先が入りにくく、特に高齢化で指力が衰えている人にとって、紐を持ち上げ緩める作業は苦痛である。【０００５】  本発明は上記の問題を公知の携帯靴ベラに靴紐調整具を装着することで、微力な力で紐を持ち上げ、容易に締めたり緩めたりすることができる、靴紐調整具付靴ベラを提供するものである。
【課題を解決するための手段】
【０００６】  上記の問題を解決するために、長方形状の薄状金属部材を用いて、長手方向に先端をＲ状にした紐かけ部（９）を設け、短手方向の両側を曲折させた軸受部（１１）を設けた靴紐調整具（８）を靴ベラ（１）の長軸（５）に装着して、靴紐（１２）を締めたり緩めたりすることを特徴とした靴紐調整具付靴ベラである。
【発明の効果】
【０００７】  したがって指先を使わないので、紐を締める時や緩める時、楽に締めることができるので、高齢者や指先力が劣る人には、格好の靴紐調整具である。
【発明を実施するための最良の形態】
【０００８】  以下、本発明の実施の形態について説明をする。
図１に示すのが本発明の斜視図であり、図２は市販の携帯用靴ベラと靴紐調整具の分離斜視図である。【０００９】  本発明を説明するにあたり、先ず市販されている携帯用靴ベラ（１）について説明する。靴ベラ（１）は、薄い金属のヘラ部（２）と丸形状の金属からなる握手部（３）で構成されている。【００１０】  握手部（３）は図３に示すように、短軸（４）の両端を曲折させ、その延長線に長軸（５）を設ける。更に長軸（５）の先端に凸部（６）を設けて、ヘラ部（２）の上部側壁に設けた孔（７）にはめこまれている。そのために握手部（３）は１８０度の範囲で倒立自在になっている。（図３）【００１１】  本発明は上記の携帯用靴ベラ（１）の長軸（５）に、靴紐調整具（８）を装着したものである。【００１２】  以下、靴紐調整具（８）の構成について説明する。
長方形状の薄状金属部材を用いて、長手方向に先端をＲ状にした紐かけ部（９）を設け、短手方向の両側を曲折させ、開放部（１０）を設けた軸受部（１１）を構成する。【００１２】  この靴紐調整具（８）を靴ベラ（１）の長軸（５）の下方に当て、開放部（１０）を通して長軸（５）に装着する。（図４）【００１３】  その後、軸受部（１１）の一端を靴紐調整具（８）が自在に上下にスライドできる程度に長軸（５）と軸受部（１１）との間に隙間（１４）を設け、かつ靴紐調整具（８）が長軸（５）から脱落しない程度に上部から圧着する。（図５）【００１３】  つまり市販の携帯靴ベラ（１）に本発明の靴紐調整具（８）を装着することによって、新たな携帯用の靴紐調整具付靴ベラが発明されたのである。（図１）【００１４】  以下使用法について説明する。
紐靴を履くときは、握手部（３）を起しヘラ部（２）を踵にあてがい足を靴の中に挿入する。その後、図７に示すように靴紐調整具（８）のＲ状の紐かけ部（９）をスライドさせながら短軸（４）との間に隙間をつくり、靴紐（１２）の手前方向２番目の箇所に引っかけ持ち上げ、靴紐（１２）を締めていく。靴を脱ぐ時には、逆に手前の靴紐（１２）に紐かけ部（９）を引っかけて緩めていく。
このように指先を使うことが無いので、楽に靴紐を締めたり緩めたりできる。【００１５】  本発明は携帯用である。前記したように握手部（３）は折りたたみができるので図８に示すように靴紐調整具（８）の使用後は下方にずらしヘラ部（２）の上部を紐かけ部（９）で固定できる。【００１６】  なお、靴紐調整具（８）を上方にスライドした時、長軸（５）から脱落しそうに見えるが、短軸（４）に圧着した軸受部（１１）の縁（１３）が当たるので、決して脱落することがない。（図６）
【図面の簡単な説明】
【００１７】
【図１】    本発明の斜視図
【図２】    本発明の分離斜視図
【図３】    従来の携帯靴ベラの全体図と本発明の靴紐調整具の分離斜視図
【図４】    本発明の要部拡大断面図
【図５】    本発明の要部拡大断面図
【図６】    本発明の要部拡大図
【図７】    本発明の動作説明図
【図８】    本発明の動作説明図
【図９】    本発明の使用説明図
【符号の説明】
【００１８】    １：靴ベラ  ８：靴紐調整具  ９：紐かけ部  １１：軸受部
【図１】
2014226538.tif 000003
【図２】
2014226538.tif 000004
【図３】
2014226538.tif 000005
【図４】
2014226538.tif 000006
【図５】
2014226538.tif 000007
【図６】
2014226538.tif 000008
【図７】
2014226538.tif 000009
【図８】
2014226538.tif 000010
【図９】
2014226538.tif 000011
(57)【要約】      （修正有）【課題】心地よく携帯ができ、しかも瞬時にコインの出し入れができるコイン入れの提供。【解決手段】本体背面にベルト通しを設けて、ポケットなどに余分な負担させることなく、コインを携帯する。コインの出し入れ素早くするためにコインの入れ口と出し口を別々に設け、コインを収納する時ｂとｂ’が留めている状態ａをａ’から外し、１部を上に開けることによってコイン入れの入れ口６が開いて、その開いている入れ口６にコインを落とすことでコインが腰に付けたまんまの状態コイン入れ内に収納される。コインを瞬時に出すために、ｂとｂ’、ａとａ’が留めている状態で、まず、ａをａ’から指で外す、次に親指でｂをｂ’から押して外す、これで２部が下に垂れさがり、コイン入れの下に設けた開口部７が開き、ｂとｂ’を外すと同時に手をコイン入れの真下に添える、コインが重力の法則で自然と手の平に落ちて、瞬時にコインをコイン入れから出すことができる。【選択図】図２
2014226535.tif 000002
【特許請求の範囲】
【請求項１】
コイン入れにベルト通しを設けられて、腰に付けているベルトに本考案のコイン入れを付けているまんまの状態で、本体の上と下べつべつに設けている入れ口と出し口を開閉することで重力の法則を用いてコインを瞬時に出し入れできるコイン入れ、または上記の状態で重力の法則を用いてコインをコイン入れの中から落として瞬時にコインを出すことができるコイン入れ。
【発明の詳細な説明】
【技術の分野】
【０００１】    本考案は携帯に便利で心地よく、おしゃれで使いやすいコイン入れに関するものである。
【背景技術】
【０００２】    従来のコイン入れは財布と一体型のもの多く、単体型のコイン入れにしてもコインが入ってる部分が膨らんで見栄えが悪く、コインが入ってる量が多くなると、その重さでポケットなど入れて携帯するとき、その使い心地十分に満足できなかった。
【発明が解決しようとする課題】
【０００３】    日常生活に必要な分のコインいかに心地よく携帯が出来る、しかも瞬時にコインの出し入れができることが課題である。
【課題を解決するための手段】
【０００４】    今までのコイン入れの出し入れは一つの出入り口で行れてきたものがほとんどで、そのため使いやすさと携帯の便利さの両立なかなか難しい、本考案がそのすべて解決するために本体背面にベルト通しを設けて、これで腰回りの空間を有効に利用することでポケットなどに余分な負担させることなく、コインを携帯することが出来る。
【０００５】    コインの出し入れ素早くするためにコインの入れ口と出し口を別々に設けるにした、コインを収納する時（図２）ｂとｂ’が留めている状態ａをａ’から外し、１部を上に開けることによってコイン入れの入れ口６が開いて、その開いている入れ口６にコインを落とすことでコインが腰に付けたまんまの状態コイン入れ内に収納される。
【０００６】    コインを瞬時に出すために、ｂとｂ’、ａとａ’が留めている状態で、まずａをａ’から指で外す、次に親指でｂをｂ’から押して外す、これで２部が下に垂れさがり、コイン入れの下に設けた開口部７が開き、ｂとｂ’を外すと同時に手をコイン入れの真下に添える、コインが重力の法則で自然と手の平に落ちて、瞬時にコインをコイン入れから出すことができる。
【発明の効果】
【０００７】    本考案のコイン入れの使用により、コインの携帯が便利になるのはもちろん、コインの出し入れもより早く、スムーズに出来る
【発明を実施するための最良の形態】
【０００８】    本考案を図面用いて説明する、本考案は（図１）示すのように１と２、３、４に区分けした一枚の材料とベルト通し材９（図４）にホック、マジック等留め具を組み合わせることによる構成。【０００９】    （図１）同じ長さと幅の材料の３と４を８で折り５で縫合あるいは接着による留める、これにより（図２）３と４が上部に開口部６、下部に開口部７が有する筒状【０００９】    になり、これに３のｂ’に雄ホックを取り付け、１のａに雌ホックを取り付け、そして、２のａ’に雄ホック、ｂに雌ホックをそれぞれを取り付ける。以上の作業により、ｂをｂ’に留める、次にａをａ’に留めることにより上下が自由に開閉することができる。そして、コイン入れ本体の背部にベルト通し材を本体に取り付け、以上によりコイン入れをベルトにつけて携帯することができ、しかもベルトにつけたまんまの状態でコインをコイン入れの上に設けた入れ口からコインを瞬時に収納ができる、そして、留め具を順次に外すことで下に設けたもう一つの開口部、コインの出し口から一瞬にして重力の法則利用して一枚も残さず出すことができる。
【実施例】
【００１０】    本考案のコイン入れをベルトに付けて、腰につけたまんま、本体に設けた上の入れ口からコインを落とすことでコインを瞬時に収納、コインを出すとき留め具ａ，ｂ（図２）の順に外すことで本体の下に設けたもう一つの口、出し口から素早く出すことができる。
【産業上の利用可能性】
【００１１】    本考案のコイン入れの携帯の便利性に優れ、使い勝手も今までにないくらい使い易く、商品となればきっとヒット商品になる自信がある
【図面の簡単な説明】
【００１２】
【図１】    本体となる一枚の材料
【図２】    上下が開いたコイン入れの正面図
【図３】    側面図
【図４】    留め具が留めた状体の正面図
【図５】    上下が開いた状態の側面図
【図６】    背面図
【符号の説明】
【００１３】１  上の蓋    ２  下の蓋    ３  本体前の部分    ４  本体後ろの部分
５  本体の縫合部あるいは接着部    ６  コインの入れ口    ７  コインの出し口
８  折り返し部    ９  ベルト通し    ａ、ｂ  雌ホック    ａ’ｂ’雄ホック
【図１】
2014226535.tif 000003
【図２】
2014226535.tif 000004
【図３】
2014226535.tif 000005
【図４】
2014226535.tif 000006
【図５】
2014226535.tif 000007
【図６】
2014226535.tif 000008
(57)【要約】      （修正有）【課題】災害時には既存のトイレが使えない状況で、汚物を衛生的にストレスを感じない範囲で処理することができる汚物処理を提供する。【解決手段】汚物受け具１は股間にスムーズに挿入できる形態であり、その受け具に袋２を何枚か装着しておき、汚物を袋詰めすることで、複数回の処理を衛生的に手早く行うことができる。【選択図】図１
2014226532.tif 000002
【特許請求の範囲】
【請求項１】
人間の股間に収まる和式トイレ状の汚物受け皿を設けた汚物受け具。
【請求項２】
前記汚物受け具に何枚かの袋を重ねて装着し、袋の汚物処理面には各々吸水性のある凝固剤、消臭剤等を汚物の処理能力に応じて取り付け、請求項１に取り付けることを特徴とする。
【発明の詳細な説明】
【技術分野】
【０００１】  この発明は、災害時・山歩き時における、汚物処理に関する。
【背景技術】
【０００２】  災害時・山歩き時には、汚物を直接地中に埋めて処理していたが、地下水の汚染につながり川の水を直接口にすることははばかれる今日になっている。
【先行技術文献】
【特許文献】
【０００３】
【非特許文献】
【０００４】
【発明の概要】
【発明が解決しようとする課題】
【０００５】  しかしながら、以上の技術によれば、災害時の汚物処理には深い穴を掘り処理することは不可能で小さい穴を多数掘ることで処理をしていた。そのため、同じところを数回掘ることになり不衛生であった。さらに、山歩きなど愛好家が増すにつれ大腸菌汚染に悩まされることとなり、湧水を直接口にすることは難しい状況になっている。
そこで、この発明は、和式トイレ状の器具を使い、汚物に直接手で触れることなく、災害時などでも汚物を袋に収めることができる。下痢便や生理の時などにも対応できる器具を提供することを課題とする。
【課題を解決するための手段】
【０００６】  以上の課題を解決するために、第一発明は、人間の股間に収まる和式トイレ状の汚物受け皿を設けたことを特徴とする汚物受け具である。
また、第二発明は、この和式トイレ状汚物受け具に何枚かの袋を重ねて装着し、袋の汚物処理面には各々吸水性のある凝固剤等を汚物の処理能力に応じて取り付ける。
【発明の効果】
【０００７】  第一発明、または第二発明によれば、災害時・山歩き等には何回もの汚物処理に対応出来、汚物に直接手で触れることがないので衛生的である。
【図面の簡単な説明】
【０００８】
【図１】この発明の一実施形態を示す斜視図である。
【発明を実施するための形態】
【０００９】  この発明の一実施形態を、図１に示す。
汚物受け具の本体１に、あらかじめ袋をセットしておく。袋の材質・色は中が見えない物が好ましい。汚物の採取後に袋の縁をつまみ汚物を中に閉じ込める。袋の口を合わせ、ひも又は、直接結ぶ、さらにはのりで閉じて処理をする。
【００１０】「実施形態の効果」
この実施形態によれば、器具に複数枚の袋を装着し、一枚ずつ脱がせながら使用する為衛生的である。
「他の実施形態」
図１の実施形態では、汚物受け具の材質は、ダンボール、プラスチック、ビニール、金属等で容易に形が崩れないものとする。アルミ・チタン等の軽量金属や硬質ビニール、芯入り形状で軽量に組み立て式にしておくなら、持ち運びが容易となる。さらにその器具にかぶせる袋の材質は自然に戻るもの、燃焼できるものが望ましい。
【符号の説明】
【００１０】１  汚物受け具    ２  汚物処理袋
【図１】
2014226532.tif 000003
(57)【要約】【課題】  歯の２面を同時に磨くことが可能で、歯面に歯ブラシを当てる圧力を手の握る力で微調整できるコの字型両面ダブル歯ブラシを提供する。【解決手段】  従来型の歯ブラシの支持棒（１）を２本平行にして、刷毛（３）がお互いの毛先から約１ｃｍ程度の間隔をあけて内側に対向するようにし、支持棒（１）のもう片方の端部がコの字型になるように連結固定（２）する。またお互いの刷毛（３）の反対部分の外側にも内側の半分程度の長さの刷毛（４）を取り付け、コの字型両面ダブル歯ブラシにする。この形状の歯ブラシは、刷毛が歯面に当たる圧力を手の握る力で微妙に調整することができる。また両内側の刷毛（３）で歯の唇・頬側面と口蓋・舌側面の２面を同時に挟み込むようにして磨き、奥歯の咬む面は歯ブラシの両外側の刷毛（４）で上下の歯を同時に効率良く磨くことが可能である。未使用の時は、歯ブラシ自体を自立させて刷毛部を清潔に保つことが可能である。【選択図】図１
2014226519.tif 000002
【特許請求の範囲】
【請求項１】
従来型の歯ブラシの支持棒を２本平行にして、刷毛がお互いの毛先から約１ｃｍ程度の間隔をあけて内側に対向するようにし、支持棒のもう片方の端部がコの字型になるように連結固定する。
【請求項２】
連結されているコの字型の形状部分は、歯ブラシ自体が自立できるような形状になっている。
【請求項３】
連結された歯ブラシの刷毛の反対部分の外側にも内側の刷毛の半分程度の長さの刷毛を取り付け、コの字型両面ダブル歯ブラシにする。
【請求項４】
コの字状の連結固定部分から支持棒にかけて、手で歯ブラシを掴んだ時に歯ブラシの２本の支持棒の内側に対向した刷毛部分の間隔が、任意の力で握ると間隔を狭め、握力を緩めると元の間隔に広がる弾力性を有している。
【発明の詳細な説明】
【技術分野】
【０００１】  本発明は歯に付着した食べカスや歯垢を効率良く除去すると共に、歯茎を刺激して健康な歯茎を作る歯ブラシに関するものである。
【背景技術】
【０００２】  従来の歯ブラシの形状には多種多様のものが使用されているが、基本的に歯ブラシは１本のほぼ直線状の支持棒と刷毛の部分より構成されているものが主に使用されている。また刷毛に電気的に回転や振動を与えた歯ブラシも市場に出ている。支持棒はプラスチックの棒状成形品が主に使われており、刷毛は棒の先端に埋め込まれた馬毛またはナイロンの繊維を集束したもので出来ている。支持棒の軸と刷毛の繊維方向は交差する構造になっている。
歯ブラシを使用して歯を磨く時は、歯ブラシの支持棒を手で握り手首を使い刷毛部分を歯面に押し当て腕を前後や上下に動かすことにより歯を磨き歯垢や汚れを取り除くが、基本的には刷毛部分は歯の表面の一面ずつしか磨けないため、歯に当てる歯ブラシの方向や角度を変えて順番に磨いていた。
【先行技術文献】
【０００３】
【特許文献】
【非特許文献】
【発明の概要】
【発明が解決しようとする課題】
【０００４】  歯ブラシは、歯および歯の付け根を十分に磨き食べカスや歯垢を取って、むし歯や歯周病を予防するために使用するものである。しかし現在使われている歯ブラシは構造的に歯の唇頬側面や咬合面は良く磨けるが、裏面特に下顎前歯の舌側や奥歯の端部などは支持棒が歯と干渉して磨き難い欠点があった。また歯を磨く時に刷毛が歯の一面ずつしか磨けないため比較的時間を要していた。
歯を磨く時は、歯ブラシの支持棒を手で握り、手首を使って歯ブラシを歯面に押し当てるため歯に対する圧力の微妙な調整が難しく、場所によって歯ブラシの当たる力が均等でないことが多い。また歯をきれいに磨こうとするために手首と腕の強い力で歯ブラシを押し当て過ぎてしまい歯茎を傷めることがあった。
本発明は歯ブラシの形状を改良し、歯ブラシの刷毛が歯面に当たる圧力を手の握る力で微妙に調整ができ、歯の２面を同時に効率良く歯磨きできるようにしたコの字型両面ダブル歯ブラシを提供することである。
【課題を解決するための手段】
【０００５】  本発明では上記目的を達成するために、次の技術手段を講じている。
従来型の歯ブラシの支持棒を２本平行にして、刷毛がお互いの毛先から約１ｃｍ程度の間隔をあけて内側に対向するようにし、支持棒のもう片方の端部がコの字型になるように連結固定する。
連結されているコの字型の形状部分は、歯ブラシ自体が自立できるような形状になっている。
また連結固定された歯ブラシの刷毛の反対部分の外側にも内側の刷毛の半分程度の長さの刷毛を取り付け、コの字型両面ダブル歯ブラシの形状にする。
コの字型の連結固定部分から支持棒にかけて、手で歯ブラシを掴んだ時に歯ブラシの２本の支持棒の内側に対向した刷毛部分の間隔が、任意の力で握ると間隔を狭め、握力を緩めると元の間隔に広がる弾力性を有している。
この形状にすることにより歯ブラシの両内側の刷毛で歯の唇・頬側面と口蓋・舌側面を挟み込むようにして同時に２面を磨き、奥歯の咬む面は歯ブラシの両外側の刷毛で上下の歯を同時に磨くことが可能である。
【発明の効果】
【０００６】  本発明の歯ブラシを用いれば、両方の内側の刷毛で歯を挟み込むように磨き、歯の唇・頬側面と口蓋・舌側面の２面を同時に磨くことができると共に歯茎を十分に刺激して血行を良くすることができる。
手首で歯ブラシを押し当てるのではなく、手で握り挟み込むように歯面に歯ブラシを当てるので、微妙な力の加減ができる。
臼歯部の咬合面（上と下の奥歯の咬み合わさる面）を磨く時は、両方の外側の刷毛で上下の歯を同時に磨くことができる。
同時に歯の２面を磨くことができるので磨く時間を短縮できる。
歯ブラシのコの字状に連結された部分は、歯ブラシ自体が自立できる形状になっているため、使用しない時は、歯ブラシを自立させて刷毛部分を清潔に保つことができる。
【図面の簡単な説明】
【０００７】
【図１】本発明のコの字型両面ダブル歯ブラシの平面図である。
【図２】本発明のコの字型両面ダブル歯ブラシを水平板に自立させた平面図である。
【発明を実地するための形態】
【０００８】  以下、本発明の形態について、図面を参照しつつ詳細に説明すれば図１においてコの字型両面ダブル歯ブラシの構造は、従来型の歯ブラシの支持棒（１）を２本平行にして、刷毛（３）がお互いの毛先から約１ｃｍ程度間隔をあけて内側に対向するようにし、支持棒（１）のもう片方の端部がコの字型になるように連結固定（２）する。
また連結固定された歯ブラシの刷毛（３）の反対部分の外側にも内側の刷毛の半分程度の長さの刷毛（４）を取り付け、コの字型両面ダブル歯ブラシにする。
図２においてコの字型両面ダブル歯ブラシ連結固定部分（２）が、歯ブラシ自体を自立できる形状となっているため、未使用の時に水平板（５）の上に自立させて保管することにより両内外側の刷毛部（３）・（４）を清潔に保つことが可能である。
【符号の説明】
【０００９】１  支持棒
２  コの字型の自立できる形状の連結部
３  内側の刷毛
４  外側の刷毛
５  水平板
【図１】
2014226519.tif 000003
【図２】
2014226519.tif 000004
(57)【要約】【課題】  漬物石を分裂させることができないために、取り扱いが不便であった。また、被膜がないために、不衛生であった。【解決手段】漬物石を分裂できる構造にして、取り扱いを容易にした。例えば、キュウリなどで、形を崩したくない時は、片方の重りのみにし、キュウリ等をスライスして、絞りたいときは、組み合わせて重量を加算すればよい。そして、被膜をつけることで、衛生面を向上させた。【選択図】図１
2014226135.tif 000002
【特許請求の範囲】
【請求項１】
本発明は、漬物石が分裂させられること。
【請求項２】
本発明は、漬物石に被膜をつけたことである。
【発明の詳細な説明】
【技術分野】
【０００１】本発明は、漬物に使用される漬物石が、分裂できるように設計されていることにより、製造しやすく、それによりさまざまな漬物料理を楽しめる利点がある。また、漬物に接する部分に被膜が掛かっており、衛生的な発明である。
【背景技術】
【０００２】従来の陶磁器製重りは、乾式成形であり、それを削り込むことにより、重りの形状を成していた。また、重りは、一つであった。【０００３】従来の重りは、底面が、シメ焼きで掃除しにくいために不衛生であった。
【発明の概要】
【発明が解決しようとする課題】
【０００４】従来の重りは、重みで、野菜の水分を排出し、塩分を吸収させるという目的であった。【０００５】従来の重りは、漬物と接する素地がむき出しとなり、吸水するため、手入れがしづらく不衛生であった。【０００６】従来の重りは、成型に手間がかかり、量産に向いていなかった。
【課題を解決するための手段】
【０００７】この発明により、被膜面があるため野菜などと接した時に、衛生的である。【０００８】この発明により、重りを分離することができるため、用途に合わせて使い分けができる。キュウリなどで、形を崩したくない時は、分離した重りのみにし、キュウリをスライスして、絞りたいときは、セットで組み合わせて重量を加算し、より重くすればよい。（図１）【０００９】この発明により、重りの重量が、用途に合わせて調整でき、重りの図１のａ〜２ａ〜３のくぼみをつけることで、歩留まりが良くなり、量産が可能になった。【００１０】重りが、ずれないように積み重ねることができる。ａ〜１【００１１】積み重ねる例として、はめ込み式があり、底部と上部に分裂した構造をとっている。【００１２】成型を容易くするために、漬物石にくぼみをつけている。ａ〜２  ａ〜３
【発明の効果】
【００１３】この発明により、重りの調整が可能となり、漬物が、種類に合わせて作りやすくなった。【００１４】漬物石を被膜で、加工する発明により、衛生面を向上させた。
【図面の簡単な説明】
【００１５】
【図１】図１は、当社の製品を参考にした模式図である。ａ〜１は、漬物石のずれ止めである。ａ〜２は、加工を容易にするくぼみである。ａ〜３は、加工を容易にするくぼみである。このくぼみは、成型を容易にするためにある。ａ〜２  ａ〜３  ａ〜４は、漬物に重りの重さをかけるための中央部に２つ穴の開いた板である。ａ〜５は、漬物の容器本体である。この容器も被膜してある。ａ〜６は、容器の蓋である。これらの構造は、衛生的であり、漬け物の用途に合わせた柔軟性を持ち、かつ、製造の能率を向上させたものである。これは、消費者保護に貢献できる発明である。
【符号の説明】
【００１６】ａ〜１は、漬物石のずれ止めである。
ａ〜２は、加工を容易にするくぼみである。
ａ〜３は、加工を容易にするくぼみである。
ａ〜４は、漬物に重りの重さをかけるための板である。
ａ〜５は、漬物の容器本体である。
ａ〜６は、容器の蓋である。
【図１】
2014226135.tif 000003
(57)【要約】      （修正有）【課題】外皮のひきが弱く、尚かつ老化の遅いライ麦粉の入ったフランスパン風ハースブレッドの製造方法を提供する。【解決手段】ライ麦粉と食塩と水で清掃した中間生地（湯捏種）を最終記事に加え常法により発酵させて焼成し、ライ麦粉の入ったフランスパン風ハースベレッドを製造することを特徴とする。【選択図】なし【特許請求の範囲】
【請求項１】
（イ）最終生地のフランスパン用小麦粉１００重量部に対して、ライ麦粉４重量部と食塩０．０８重量部と４０℃の温水８重量部を攪拌し、その後７０℃の温水４重量部を加え、加熱しながら攪拌を続け温度を９０℃〜９５℃まで上昇させて中間生地（湯捏種）を製造する工程。
（ロ）１０℃〜４０℃に調整した中間生地（湯捏種）を最終生地に加える工程。
（ハ）中間生地（湯捏種）を加えて作った最終生地を、常法にて発酵させて焼成する工程を特徴とするライ麦粉の入ったフランスパン風ハースブレッドの製造方法。
【発明の詳細な説明】
【技術分野】
【０００１】本発明は、小麦粉とライ麦粉を主原料とするライ麦粉の入ったフランスパン風ハースブレッドの製造法に関するものである。
【技術背景】
【０００２】従来、フランスパン生地はフランスパン用小麦粉、食塩、モルト、イースト、水を主原料として製造されている。
【０００３】
【非特許文献１】吉野精一著「基礎からわかる製パン技術」  柴田書店、２０１１年、Ｐ４９
【発明の開示】
【発明が解決しようとする課題】
【０００４】しかしながら従来のフランスパン生地の配合で製造されたフランスパン類は外皮のひきが強すぎる為に噛む力の弱い人達には食べづらいという問題点があった。そこで、外皮のひきが弱くて、噛みやすいフランスパン類の製造方法が望まれていた。
【課題を解決する為の手段】
【０００５】上記目的を達成するものは、以下のものである。
本発明のライ麦の入ったフランスパン風ハースブレッドの製造方法は、ライ麦粉と食塩と水とで製造した中間生地（湯捏種）を、最終生地に添加することにより達成することができる。
【発明の効果】
【０００６】本発明のライ麦粉の入ったフランスパン風ハースブレッドの製造方法によれば、外皮のひきが弱くなり噛む力の弱い人達でも食べやすくなった。尚、最終生地の加水量が多くなる為しっとり感がアリ老化も遅くなった。さらにライ麦粉の風味と旨味を有するライ麦粉の入ったフランスパン風ハースブレッドができた。
【発明を実施する為の最良の形態】
【０００７】本発明のライ麦粉の入ったフランスパン風ハースブレッドの製造方法について説明する。本発明のライ麦粉のはい到フランスパン風ハースブレットの製造方法の特徴は、ライ麦粉の入ったフランスパン風ハースブレッドができた。
【０００８】中間生地（湯捏種）の製造には、ライ麦粉と食塩と水が使用される。最初にライ麦粉４００ｇ、食塩８ｇ、４０℃の温水８００ｇを撹拌する。そこへ７０℃の温水４００ｇを加え、さらに攪拌する。その後攪拌しながら、熱を加え温度が９０℃〜９５℃になれば中間生地（湯捏種）の完成となる。
【０００９】完成した中間生地（湯捏種）はおおむね１０℃〜４０℃の温度に調整してから最終生地に加える。その後この最終生地は、通常のフランスパン類の製造方法と同様に、発酵させた後に焼成する。これにより、これまでになかった特徴を有したライ麦粉の入ったフランスパン風ハースブレッドが得られる。尚、ライ麦粉を中間生地（湯捏種）を作ることなく、生のまま最終生地に加えても、課題解決することは出来ない。
【実施例１】
【００１０】最初に、半発名の中間生地（湯捏種）の製造方法の説明をする。最初にライ麦粉４００ｇ、食塩８ｇ、４０℃の温水８００ｇを撹拌する。そこへ７０℃の温水４００ｇを加え、さらに撹拌する。その後撹拌しながら、熱を加え温度が９０℃〜９５℃になれば中間生地（湯捏種）の完成となる。
中間生地（湯捏種）の原料配合
（最終生地のフランスパン用小麦粉１００重量部に対して）
ライ麦粉            ４重量部
食塩            ０．０８重量部
４０℃の温水        ８重量部
７０℃の温水        ４重量部【００１１】完成した中間生地（湯捏種）は温度をおおむね１０℃〜４０℃に調整してから最終生地に加える。【００１２】次に最終生地の製造方法を説明する。フランスパン用小麦粉１０００ｇインスタントドライイースト７０ｇ、食塩２００ｇモルトシロップ３０ｇ、Ｌ−アスコルビン酸０．３ｇ、水５５００ｇ、中間生地（湯捏種）１５００ｇを混捏して最終生地を製造する。
最終生地の原料配合
フランスパン用小麦粉        １００重量部
インスタントドライイースト    ０．７重量部
食塩                            ２重量部
モルトシロップ                ０．３重量部
Ｌ−アスコルビン酸          ０．００３重量部
水                              ５５重量部
中間生地（湯捏種）              １５重量部【００１３】出来上がった最終生地は、その後、通常のフランスパン類の製造方法と同様に、発酵させた後に焼成した。
【比較例１】
【００１４】従来のフランスパン生地の原料配合
フランスパン用小麦粉          １００重量部
インスタントドライイースト    ０．７重量部
食塩                              ２重量部
モルトシロップ                ０．３重量部
Ｌ−アスコルビン酸        ０．００３重量部
水                              ７０重量部
【００１５】上記の配合で混捏をして生地を製造し、その後、通常のフランスパン類の製造方法と同様に、発酵させた後に焼成した。
【００１６】上記［実施例１］には中間生地（湯捏種）が添加されており［比較例１］には中間生地（湯捏種）が添加されて以内。この違いによって以下の結果となった。
2014226131.tif 000002
【００１６】上記結果により、［実施例１］の中間生地（湯捏種）が添加されたライ麦粉の入ったフランスパン風ハースブレッドの優位性が証明された。